(57)【特許請求の範囲】
【請求項１】
通信網に接続可能な複数の無線基地局にＣＤＭＡ（Code Division Multiple Access）方式により無線接続し、前記通信網上の通信局と通信可能な移動無線端末装置において、
２つのアンテナと、
この２つのアンテナのうち、一方を使用するアンテナとして選択するアンテナ選択手段と、
着信待ち受け時にハンドオフ条件が成立した場合に、現在、前記アンテナ選択手段によって選択されているアンテナに代わって、残る一方のアンテナを用いて受信を行い、ここでさらにハンドオフ条件が成立する場合に、元のアンテナに再び切り替えてハンドオフ処理を行うハンドオフ制御手段とを具備することを特徴とする移動無線端末装置。
【請求項２】
通信網に接続可能な複数の無線基地局にＣＤＭＡ（Code Division Multiple Access）方式により無線接続し、前記通信網上の通信局と通信可能な移動無線端末装置において、
２つのアンテナと、
この２つのアンテナのうち、一方を使用するアンテナとして選択するアンテナ選択手段と、
着信待ち受け時に無線基地局が捕捉できなくなった場合に、現在、前記アンテナ選択手段によって選択されているアンテナに代わって、残る一方のアンテナを用いて受信を行い、ここでさらに前記無線基地局が捕捉できない場合に、元のアンテナに再び切り替えて、受信可能な他の無線基地局を捕捉する基地局捕捉制御手段とを具備することを特徴とする移動無線端末装置。
【請求項３】
通信網に接続可能な複数の無線基地局にＣＤＭＡ（Code Division Multiple Access）方式により無線接続し、前記通信網上の通信局と通信可能な移動無線端末装置において、
２つのアンテナと、
この２つのアンテナのうち、一方を使用するアンテナとして選択するアンテナ選択手段と、
通信時にハンドオフ条件が成立した場合に、現在、前記アンテナ選択手段によって選択されているアンテナに代わって、残る一方のアンテナを用いて受信を行い、ここでさらにハンドオフ条件が成立する場合に、元のアンテナに再び切り替えてハンドオフ処理を行うハンドオフ制御手段とを具備することを特徴とする移動無線端末装置。
【請求項４】
通信網に接続可能な複数の無線基地局にＣＤＭＡ（Code Division Multiple Access）方式により無線接続し、前記通信網上の通信局と通信可能な移動無線端末装置において、
２つのアンテナと、
この２つのアンテナのうち、一方を使用するアンテナとして選択するアンテナ選択手段と、
通信時に無線基地局が捕捉できなくなった場合に、現在、前記アンテナ選択手段によって選択されているアンテナに代わって、残る一方のアンテナを用いて受信を行い、ここでさらに前記無線基地局が捕捉できない場合に、元のアンテナに再び切り替えて、通信可能な他の無線基地局を捕捉する基地局捕捉制御手段とを具備することを特徴とする移動無線端末装置。
【請求項５】
前記２つのアンテナのうち、一方は、送受信可能なアンテナで、残る一方は、受信用のアンテナであることを特徴とする請求項１乃至請求項４のいずれかに記載の移動無線端末装置。
【発明の詳細な説明】
【０００１】
【発明の属する技術分野】
この発明は、例えば自動車電話システムや携帯電話システムなどの移動無線通信システムに用いられるＣＤＭＡ（Code Division Multiple Access）方式の移動無線端末装置に関する。
【０００２】
【従来の技術】
周知のように、近年、ＣＤＭＡ方式を採用した移動無線通信システムが注目されている。このシステムは、通信方式として、スペクトラム拡散通信方式を採用するものである。
ここで、図６を参照して、上記移動通信システムにおける従来の移動無線端末装置について説明する。特にここでは、当該発明に関わる受信系を中心に説明する。
【０００３】
送信装置１２では、デジタル化された音声やデータなどの送信データを、ＰＳＫ変調などのディジタル変調方式により変調して、この変調されたデータを拡散符号を用いて広帯域のベースバンド信号に変換する。そして、この拡散された信号を無線周波数の信号にアップコンバートとし、共用器１１を通じて第１のアンテナ１０に入力し、そして第１のアンテナ１０より上記信号を空間に放射し、図示しない基地局に向け送信される。
【０００４】
一方、上記基地局より送信された無線信号は、第１のアンテナ１０にて受信されて、共用器１１を通じて受信装置１３に入力される。受信装置１３は、無線回路１４と、中間周波回路１５と、Ｒａｋｅ（レイク）受信機１６とからなる。
【０００５】
まず、無線回路１４では、共用器１１から受信した無線信号が減衰器１４ａに入力され、ここで、予め設定した量だけ減衰される。減衰器１４ａを通過した信号は、増幅器１４ｂで所定のレベルまで増幅された後、ミキサ１４ｃにて周波数シンセサイザ１４ｄにて生成された信号とミキシングされて、中間周波数にダウンコンバートされる。
【０００６】
この中間周波数にダウンコンバートされた信号は、中間周波回路１５に入力され、増幅器１５ａにて所定のレベルまで増幅される。この増幅結果は、バンドパスフィルタ（ＢＰＦ）１５ｂを、所望の帯域のみが通過して、ミキサ１５ｃにて周波数シンセサイザ１５ｄにて生成される信号とミキシングされて、ベースバンド信号に変換される。このベースバンド信号は、Ａ／Ｄ変換器（Ａ／Ｄ）１５ｅにてディジタル信号に変換され、Ｒａｋｅ受信機１６に入力される。
【０００７】
Ｒａｋｅ受信機１６は、サーチャ１６ａと、フィンガ１６ｂ、１６ｃ、１６ｄと、シンボル合成器１６ｅとからなり、上記ディジタル信号は、サーチャ１６ａと、フィンガ１６ｂ、１６ｃ、１６ｄにそれぞれ入力される。
【０００８】
サーチャ１６ａは、上記基地局から自端末宛てに複数の経路で到来する信号、いわゆるマルチパス検出し、送信側で拡散に用いたものと同じ拡散符号を用いて逆拡散する。そして、それぞれの逆拡散結果についてＥc／Ｉo（Ｉoは全受信信号のエネルギ、Ｅcは所望波の信号レベル）を求めるとともに、これらの間の遅延時間差（遅延プロフィール）を求める。そして、これらに基づいてパスの受信タイミング（逆拡散タイミング）を求め、これをフィンガ１６ｂ、１６ｃ、１６ｄにそれぞれ割り当てる。
【０００９】
フィンガ１６ｂ、１６ｃ、１６ｄは、サーチャ１６ａによって割り当てられた逆拡散タイミングで、送信側で拡散に用いたものと同じ拡散符号を用いて上記ディジタル信号に逆拡散処理を施す。
【００１０】
シンボル合成器１６ｅは、フィンガ１６ｂ、１６ｃ、１６ｄにてそれぞれ逆拡散されたマルチパス成分を、各フィンガ１６ｂ、１６ｃ、１６ｄに割り当てられた逆拡散タイミングを考慮してシンボル合成する。
シンボル合成器１６ｅにてシンボル合成された信号は、後段の信号処理部１７にて、送信側のディジタル変調に対応する復調を行い、受信データが再生される。
【００１１】
また、この移動無線端末装置では、図示しない制御部が、サーチャ１６ａにて求めたパイロット信号のＥc／Ｉoに応じて、ハンドオフのための制御を行う。  この制御では、待ち受け受信状態で間欠受信を行っているときには、上記Ｅc／Ｉoが、（１）規定値より低くなった、（２）前回の受信時に比べ規定値以上に低下した、あるいは（３）近隣基地局のＥc／Ｉoとの差が規定値以内になった等の条件を満たすと、ハンドオフを行うために、他の基地局からのパイロット信号のＥc／Ｉoを測定する。そして、他の基地局のパイロット信号のＥc／Ｉoが規定値より大きくなったときには、他の基地局にハンドオフする。
【００１２】
そしてまた、移動無線端末装置が通話状態にあるときには、現在接続されている基地局のパイロット信号のＥc／Ｉoが規定値より低くなり、なおかつ近隣の基地局のパイロット信号のＥc／Ｉoが規定値より大きくなったときに、所定の条件を満たす基地局を含む複数の基地局と通信を行ないながらハンドオフを行う。
【００１３】
以上のようなＣＤＭＡ方式の利点としては、（１）スペクトラム拡散技術を用いるので通信の秘匿性に優れ、（２）Ｒａｋｅ受信方式を用いることで耐フェージング性が高く、（３）通信の瞬断のない安定したハンドオフ、いわゆるソフトハンドオフを可能としている、などが挙げられる。
【００１４】
しかしながら、従来のＣＤＭＡ方式の移動無線端末装置では、サーチャ１６ａのマルチパス分解能がチップレートの逆数であるため、マルチパスの遅延時間の広がりがこれより小さい場合には、上述のようにマルチパス成分をフィンガ１６ｂ、１６ｃ、１６ｄにてそれぞれ分離して、シンボル合成を行うことができない。
すなわち、マルチパスの遅延時間の広がりが小さいと、レイク受信を行うことができないため、安定した通信品質を確保できないという問題がある。
【００１５】
このように、マルチパスの遅延時間の広がりが小さいためにレイク受信ができないような状況で、マルチパスフェージングが生じて、一時的にでも現在の基地局からのパイロット信号のＥc／Ｉoが規定値より低くなると、ハンドオフのための処理が開始されてしまう。
【００１６】
そして、上記フェージングの発生具合によっては、レイク受信ができないために、現在の基地局が近くにあるにもかかわらず、遠くの基地局にハンドオフしてしまう。この場合、その後ハンドオフ後の基地局からは安定して十分な信号レベルが得られないために、再びハンドオフ前に基地局にハンドオフするといった現象が生じる。
【００１７】
このような無駄な動作は、バッテリ電流を著しく消耗するものであり、また、結局ハンドオフが行われなくても、ハンドオフを行うために他の基地局からのパイロット信号の受信して、ハンドオフ先の基地局を探索することになるため、同様にバッテリ電流を無駄に消耗する。
【００１８】
【発明が解決しようとする課題】
従来のＣＤＭＡ方式の移動無線端末装置では、マルチパスの遅延時間の広がりが小さいためにレイク受信ができないような状況で、マルチパスフェージングが生じて、一時的にでも現在の基地局からのパイロット信号のＥc／Ｉoが規定値より低くなると、例えばハンドオフのための処理などの他の無線基地局を捕捉する処理が開始されてしまい、無駄なバッテリ消費を行う可能性が高いという問題があった。
【００１９】
この発明は上記の問題を解決すべくなされたもので、マルチパスの遅延時間の広がりが小さいためにレイク受信ができないような状況で、マルチパスフェージングが生じても、不必要なハンドオフを行うための処理などの他の無線基地局を捕捉する処理を防止して、バッテリの電力の浪費を抑制することが可能なＣＤＭＡ方式の移動無線端末装置を提供することを目的とする。
【００２２】
【課題を解決するための手段】
上記の目的を達成するために、この発明は、通信網に接続可能な複数の無線基地局にＣＤＭＡ方式により無線接続し、通信網上の通信局と通信可能な移動無線端末装置において、２つのアンテナと、この２つのアンテナのうち、一方を使用するアンテナとして選択するアンテナ選択手段と、着信待ち受け時にハンドオフ条件が成立した場合に、現在、アンテナ選択手段によって選択されているアンテナに代わって、残る一方のアンテナを用いて受信を行い、ここでさらにハンドオフ条件が成立する場合に、元のアンテナに再び切り替えてハンドオフ処理を行うハンドオフ制御手段とを具備して構成するようにした。
【００２３】
また、この発明は、通信網に接続可能な複数の無線基地局にＣＤＭＡ方式により無線接続し、通信網上の通信局と通信可能な移動無線端末装置において、２つのアンテナと、この２つのアンテナのうち、一方を使用するアンテナとして選択するアンテナ選択手段と、通信時にハンドオフ条件が成立した場合に、現在、アンテナ選択手段によって選択されているアンテナに代わって、残る一方のアンテナを用いて受信を行い、ここでさらにハンドオフ条件が成立する場合に、元のアンテナに再び切り替えてハンドオフ処理を行うハンドオフ制御手段とを具備して構成するようにした。
【００２４】
上記構成のＣＤＭＡ方式の移動無線端末装置では、着信待ち受け時、あるいは通信時に、ハンドオフ条件が成立した場合に、現在、アンテナ選択手段によって選択されているアンテナに代わって、残る一方のアンテナを用いて受信を行い、ここでさらにハンドオフ条件が成立する場合に、元のアンテナに再び切り替えて、ハンドオフ処理を行うようにしている。
【００２５】
すなわち、マルチパスの遅延時間の広がりが小さいためにレイク受信ができないような状況で、マルチパスフェージングが生じて、一時的にハンドオフ処理の必要が生じても、もう一つのアンテナに切り替えて受信を行って、上記処理を行なう必要があるかを検証し、この検証結果に応じて上記処理を行うようにしている。
【００２６】
したがって、上記構成のＣＤＭＡ方式の移動無線端末装置によれば、不必要なハンドオフを行うための処理を防止して、バッテリの電力の浪費を抑制することができる。
【００２７】
また、上記の目的を達成するために、この発明は、通信網に接続可能な複数の無線基地局にＣＤＭＡ方式により無線接続し、通信網上の通信局と通信可能な移動無線端末装置において、２つのアンテナと、この２つのアンテナのうち、一方を使用するアンテナとして選択するアンテナ選択手段と、着信待ち受け時に無線基地局が捕捉できなくなった場合に、現在、アンテナ選択手段によって選択されているアンテナに代わって、残る一方のアンテナを用いて受信を行い、ここでさらに無線基地局が捕捉できない場合に、元のアンテナに再び切り替えて、受信可能な他の無線基地局を捕捉する基地局捕捉制御手段とを具備して構成するようにした。
【００２８】
また、この発明は、通信網に接続可能な複数の無線基地局にＣＤＭＡ方式により無線接続し、通信網上の通信局と通信可能な移動無線端末装置において、２つのアンテナと、この２つのアンテナのうち、一方を使用するアンテナとして選択するアンテナ選択手段と、通信時に無線基地局が捕捉できなくなった場合に、現在、アンテナ選択手段によって選択されているアンテナに代わって、残る一方のアンテナを用いて受信を行い、ここでさらに無線基地局が捕捉できない場合に、元のアンテナに再び切り替えて、通信可能な他の無線基地局を捕捉する基地局捕捉制御手段とを具備して構成するようにした。
【００２９】
上記構成のＣＤＭＡ方式の移動無線端末装置では、着信待ち受け時、あるいは通信時に、無線基地局が捕捉できなくなった場合に、現在、アンテナ選択手段によって選択されているアンテナに代わって、残る一方のアンテナを用いて受信を行い、ここでさらに無線基地局が捕捉できない場合に、元のアンテナに再び切り替えて、受信可能な他の無線基地局を捕捉するようにしている。
【００３０】
すなわち、マルチパスの遅延時間の広がりが小さいためにレイク受信ができないような状況で、マルチパスフェージングが生じて、一時的に他の無線基地局を捕捉する処理の必要が生じても、もう一つのアンテナに切り替えて受信を行って、上記処理を行なう必要があるかを検証し、この検証結果に応じて上記処理を行うようにしている。
【００３１】
したがって、上記構成のＣＤＭＡ方式の移動無線端末装置によれば、不必要な他の無線基地局を捕捉する処理を防止して、バッテリの電力の浪費を抑制することができる。
【００３５】
【発明の実施の形態】
以下、図面を参照して、この発明の実施形態について説明する。
図１は、この発明の第１の実施形態に係わるＣＤＭＡ方式の移動無線端末装置の構成を示すものである。但し、図１において、従来のＣＤＭＡ方式の移動無線端末装置の構成を示す図６と同一部分には同一符号を付して示し、特にここでは、当該発明に関わる受信系を中心に説明する。
【００３６】
送信装置１２では、デジタル化された音声やデータなどの送信データを、ＰＳＫ変調などのディジタル変調方式により変調して、この変調されたデータを拡散符号を用いて広帯域のベースバンド信号に変換する。そして、この拡散された信号を無線周波数の信号にアップコンバートとし、共用器１１を通じて第１のアンテナ１０に入力し、そして第１のアンテナ１０より上記信号を空間に放射し、図示しない基地局に向け送信される。
【００３７】
一方、上記基地局より送信された無線信号は、第１のアンテナ１０にて受信されて、共用器１１を通じて受信装置１３ａに入力される。受信装置１３ａは、スイッチ２０と、無線回路１４と、中間周波回路１５と、Ｒａｋｅ（レイク）受信機１６とからなる。
【００３８】
まず、スイッチ２０は、共用器１１から入力される受信信号と、第２のアンテナ１８にて受信されバンドパスフィルタ（ＢＰＦ）１９にて所望の帯域に制限された受信信号とが入力され、後述の制御部１００によって切替え制御されて、上記２つの受信信号の一方を無線回路１４に入力する。
第２のアンテナ１８は、当該移動無線端末装置の筐体内部に備えられる。
【００３９】
無線回路１４では、共用器１１から受信した無線信号が減衰器１４ａに入力され、ここで、予め設定した量だけ減衰される。減衰器１４ａを通過した信号は、増幅器１４ｂで所定のレベルまで増幅された後、ミキサ１４ｃにて周波数シンセサイザ１４ｄにて生成された局部発信信号とミキシングされて、中間周波数にダウンコンバートされる。
【００４０】
この中間周波数にダウンコンバートされた信号は、中間周波回路１５に入力され、増幅器１５ａにて所定のレベルまで増幅される。この増幅結果は、バンドパスフィルタ（ＢＰＦ）１５ｂを、所望の帯域のみが通過して、ミキサ１５ｃにて周波数シンセサイザ１５ｄにて生成される信号とミキシングされて、ベースバンド信号に変換される。このベースバンド信号は、Ａ／Ｄ変換器１５ｅにてディジタル信号に変換され、Ｒａｋｅ受信機１６に入力される。
【００４１】
Ｒａｋｅ受信機１６は、サーチャ１６ａと、フィンガ１６ｂ、１６ｃ、１６ｄと、シンボル合成器１６ｅとからなり、上記ディジタル信号は、サーチャ１６ａと、フィンガ１６ｂ、１６ｃ、１６ｄにそれぞれ入力される。
【００４２】
サーチャ１６ａは、上記基地局から自端末宛てに複数の経路で到来する信号、いわゆるマルチパス検出し、送信側で拡散に用いたものと同じ拡散符号を用いて逆拡散する。そして、それぞれの逆拡散結果についてＥc／Ｉoを求めるとともに、これらの遅延時間差（遅延プロフィール）を求める。そして、これらに基づいてパスの受信タイミング（逆拡散タイミング）を求め、これをフィンガ１６ｂ、１６ｃ、１６ｄにそれぞれ割り当てる。
【００４３】
フィンガ１６ｂ、１６ｃ、１６ｄは、サーチャ１６ａによって割り当てられた逆拡散タイミングで、送信側で拡散に用いたものと同じ拡散符号を用いて上記ディジタル信号に逆拡散処理を施す。
【００４４】
シンボル合成器１６ｅは、フィンガ１６ｂ、１６ｃ、１６ｄにてそれぞれ逆拡散されたマルチパス成分を、各フィンガ１６ｂ、１６ｃ、１６ｄに割り当てられた逆拡散タイミングを考慮してシンボル合成する。
シンボル合成器１６ｅにてシンボル合成された信号は、後段の信号処理部１７にて、送信側のディジタル変調に対応する復調を行い、受信データが再生される。
【００４５】
制御部１００は、ＣＰＵ、ＲＯＭおよびＲＡＭ等を有してなるものであり、上記ＣＰＵが上記ＲＯＭに記憶される制御プログラムや制御データにしたがって、当該移動無線端末装置の各部を統括して制御するもので、例えばハンドオフに関する制御を行う。
【００４６】
また制御部１００は、新たな制御機能を実現するために、ハンドオフ判定手段１００ａと、スイッチ切替制御手段１００ｂとを備える。
ハンドオフ判定手段１００ａは、上記サーチャ１６ａにて求められたＥc／Ｉoを監視して、ハンドオフ条件が成立したか否かを判定する。
スイッチ切替制御手段１００ｂは、ハンドオフ判定手段１００ａの判定結果と、に応じて、スイッチ２０を切替え制御する。
なお、図示は省略しているが、本装置の構成要素として、上述した各部を動作させるための電力を供給するバッテリを有する電源部が存在する。
【００４７】
次に、上記構成のＣＤＭＡ方式の移動無線端末装置の待ち受け受信時におけるハンドオフ条件成立時の制御動作を以下に説明する。図２および図３は、上記制御部１００によってなされるハンドオフ条件成立時の制御を示すフローチャートである。なお、これらの処理は、交互に実行され、電源投入時などの動作初期には、図２に示す第１の処理から順に実行される。
【００４８】
図２に示す処理では、第１のアンテナ１０を通じた受信が行われている状態より開始される。
まずステップ２ａにて、ハンドオフ判定手段１００ａが、サーチャ１６ａにて求められたＥc／Ｉoを監視して、第１のアンテナ１０を通じた受信において、ハンドオフ条件が成立したか否かを判定する。ここで、ハンドオフ条件が成立した場合には、ステップ２ｂに移行し、一方、成立しない場合には、再びステップ２ａに移行する。
【００４９】
ステップ２ｂでは、スイッチ切替制御手段１００ｂがスイッチ２０を切替え制御して、減衰器１４ａに、共用器１１を通じて接続されていた第１のアンテナ１０に代わって、バンドパスフィルタ１９を通じて第２のアンテナ１８を接続する。そして、ステップ２ｃに移行する。
【００５０】
ステップ２ｃでは、ステップ２ｂによって開始された、第２のアンテナ１８を通じた受信において、まだハンドオフ条件が成立するか否かをハンドオフ判定手段１００ａが判定する。ここで、さらにハンドオフ条件が成立した場合には、ステップ２ｄに移行し、一方、成立しない場合には、ステップ２ｆに移行する。
【００５１】
ステップ２ｄでは、スイッチ切替制御手段１００ｂがスイッチ２０を切替え制御して、減衰器１４ａに、バンドパスフィルタ１９を通じて接続されていた第２のアンテナ１８に代わって、共用器１１を通じて第１のアンテナ１０を接続する。そして、ステップ２ｅに移行し、通常のハンドオフ制御を行い、再びステップ２ａに移行する。
【００５２】
一方、ステップ２ｆでは、第２のアンテナ１８を通じた受信では、ハンドオフ条件が満たされなかったことより、第２のアンテナ１８を通じて受信を継続して、この処理を終了し、次の第２の処理に移行する。
【００５３】
次に、図３に示す第２の処理では、第２のアンテナ１８を通じた受信が行われている状態より開始される。
まずステップ３ａでは、ハンドオフ判定手段１００ａが、サーチャ１６ａにて求められたＥc／Ｉoを監視して、第２のアンテナ１８を通じた受信において、ハンドオフ条件が成立したか否かを判定する。ここで、ハンドオフ条件が成立した場合には、ステップ３ｂに移行し、一方、成立しない場合には、再びステップ３ａに移行する。
【００５４】
ステップ３ｂでは、スイッチ切替制御手段１００ｂがスイッチ２０を切替え制御して、減衰器１４ａに、バンドパスフィルタ１９を通じて接続されていた第２のアンテナ１８に代わって、共用器１１を通じて第１のアンテナ１０を接続する。そして、ステップ３ｃに移行する。
【００５５】
ステップ３ｃでは、ステップ３ｂによって開始された、第１のアンテナ１０を通じた受信において、まだハンドオフ条件が成立するか否かをハンドオフ判定手段１００ａが判定する。ここで、さらにハンドオフ条件が成立した場合には、ステップ３ｄに移行し、一方、成立しない場合には、ステップ３ｆに移行する。
【００５６】
ステップ3ｄでは、スイッチ切替制御手段１００ｂがスイッチ２０を切替え制御して、減衰器１４ａに、共用器１１を通じて接続されていた第１のアンテナ１０に代わって、バンドパスフィルタ１９を通じた第２のアンテナ１８を接続する。そして、ステップ３ｅに移行して、通常のハンドオフ制御を行い、再びステップ３ａに移行する。
【００５７】
一方、ステップ３ｆでは、第１のアンテナ１０を通じた受信では、ハンドオフ条件が満たされなかったことより、第１のアンテナ１０を通じて受信を継続して、この処理を終了し、上記第１の処理に移行する。
【００５８】
以上のように、上記構成のＣＤＭＡ方式の移動無線端末装置では、２つのアンテナ１０，１８を備え、一方のアンテナを通じた受信でハンドオフ条件が成立したとしても、残る一方のアンテナを通じた受信でハンドオフ条件が成立しない、すなわち２つのアンテナを通じた受信でそれぞれハンドオフ条件が成立しないと、ハンドオフ制御を行わないようにしている。
【００５９】
したがって、上記構成のＣＤＭＡ方式の移動無線端末装置によれば、一方のアンテナで受信している際に、例えばマルチパスの遅延時間の広がりが小さいためにレイク受信ができないような状況で、マルチパスフェージングが生じて、ハンドオフ条件が成立しても、必ずしもハンドオフ制御は行わない。このため、不必要なハンドオフを行うための処理が防止され、バッテリの電力の浪費を抑制することができる。
【００６０】
以下、図面を参照して、この発明の実施形態について説明する。
図４は、この発明の第２の実施形態に係わるＣＤＭＡ方式の移動無線端末装置の構成を示すものである。但し、図４において、従来のＣＤＭＡ方式の移動無線端末装置の構成を示す図６と同一部分には同一符号を付して示し、特にここでは、当該発明に関わる受信系を中心に説明する。
【００６１】
送信装置１２では、デジタル化された音声やデータなどの送信データを、ＰＳＫ変調などのディジタル変調方式により変調して、この変調されたデータを拡散符号を用いて広帯域のベースバンド信号に変換する。そして、この拡散された信号を無線周波数の信号にアップコンバートとし、共用器１１を通じて第１のアンテナ１０に入力し、そして第１のアンテナ１０より上記信号を空間に放射し、図示しない基地局に向け送信される。
【００６２】
一方、上記基地局より送信された無線信号は、第１のアンテナ１０にて受信されて、共用器１１を通じて受信装置１３ｂに入力される。受信装置１３ｂは、無線回路１４と、合成器２４と、中間周波回路１５と、Ｒａｋｅ（レイク）受信機１６とからなる。
【００６３】
無線回路１４では、共用器１１から受信した無線信号が減衰器１４ａに入力され、ここで、予め設定した量だけ減衰される。減衰器１４ａを通過した信号は、増幅器１４ｂで所定のレベルまで増幅された後、ミキサ１４ｃにて周波数シンセサイザ１４ｄにて生成された局部発信信号とミキシングされて、中間周波数にダウンコンバートされる。なお、増幅器１４ｂとミキサ１４ｃとは、後述の制御部２００からの制御信号Ｃｔｒ１により、共通にＯＮ／ＯＦＦ制御される。
【００６４】
そして、ミキサ１４ｃにて中間周波数にダウンコンバートされた信号は、合成器２４に入力される。なお、上記局部発信信号は、後述のミキサ２２にも供給される。
【００６５】
ところで、第２のアンテナ１８にて受信された信号は、バンドパスフィルタ（ＢＰＦ）１９にて所望の帯域に制限される。なお、第２のアンテナ１８は、当該移動無線端末装置の筐体内部に備えられる。
増幅器２１は、後述の制御部２００からの制御信号Ｃｔｒ２によりＯＮ／ＯＦＦ制御され、バンドパスフィルタ１９にて帯域制限された信号の強度を所定のレベルまで増幅する。
【００６６】
ミキサ２２は、増幅器２１と同様に、制御部２００からの制御信号Ｃｔｒ２によりＯＮ／ＯＦＦ制御され、増幅器２１の増幅結果を、周波数シンセサイザ１４ｄにて生成された局部発信信号とミキシングして、中間周波数にダウンコンバートする。この中間周波数にダウンコンバートされた信号は、遅延回路２３にて所定の時間ｔだけ遅延され、合成器２４に入力される。
【００６７】
合成器２４は、後述の制御部２００の指示に応じて、無線回路１４にて得た中間周波数の信号と、遅延回路２３からの中間周波信号とを合成して中間周波回路１５に出力したり、あるいは上記中間周波信号の一方を選択的に中間周波回路１５に出力する。
【００６８】
中間周波回路１５では、合成器２４の合成結果を増幅器１５ａが所定のレベルまで増幅する。この増幅結果は、バンドパスフィルタ（ＢＰＦ）１５ｂを、所望の帯域のみが通過して、ミキサ１５ｃにて周波数シンセサイザ１５ｄにて生成される信号とミキシングされて、ベースバンド信号に変換される。このベースバンド信号は、Ａ／Ｄ変換器１５ｅにてディジタル信号に変換され、Ｒａｋｅ受信機１６に入力される。
【００６９】
Ｒａｋｅ受信機１６は、サーチャ１６ａと、フィンガ１６ｂ、１６ｃ、１６ｄと、シンボル合成器１６ｅとからなり、上記ディジタル信号は、サーチャ１６ａと、フィンガ１６ｂ、１６ｃ、１６ｄにそれぞれ入力される。
【００７０】
サーチャ１６ａは、上記基地局から自端末宛てに複数の経路で到来する信号、いわゆるマルチパス検出し、送信側で拡散に用いたものと同じ拡散符号を用いて逆拡散する。そして、それぞれの逆拡散結果についてＥc／Ｉoを求めるとともに、これらの遅延時間差（遅延プロフィール）を求める。そして、これらに基づいてパスの受信タイミング（逆拡散タイミング）を求め、これを後述の制御部２００からの割り当て実行指示に応じて、フィンガ１６ｂ、１６ｃ、１６ｄにそれぞれ割り当てる。
【００７１】
フィンガ１６ｂ、１６ｃ、１６ｄは、サーチャ１６ａによって割り当てられた逆拡散タイミングで、送信側で拡散に用いたものと同じ拡散符号を用いて上記ディジタル信号に逆拡散処理を施す。
【００７２】
シンボル合成器１６ｅは、フィンガ１６ｂ、１６ｃ、１６ｄにてそれぞれ逆拡散されたマルチパス成分を、各フィンガ１６ｂ、１６ｃ、１６ｄに割り当てられた逆拡散タイミングを考慮してシンボル合成する。
シンボル合成器１６ｅにてシンボル合成された信号は、後段の信号処理部１７にて、送信側のディジタル変調に対応する復調を行い、受信データが再生される。
【００７３】
制御部２００は、ＣＰＵ、ＲＯＭおよびＲＡＭ等を有してなるものであり、上記ＣＰＵが上記ＲＯＭに記憶される制御プログラムや制御データにしたがって、当該移動無線端末装置の各部を統括して制御するもので、例えばハンドオフに関する制御を行う。
【００７４】
また制御部２００は、新たな制御機能を実現するために、ＯＮ／ＯＦＦ制御手段２００ａを備える。
ＯＮ／ＯＦＦ制御手段２００ａは、サーチャ１６ａおよびフィンガ１６ｂ、１６ｃ、１６ｄの出力をそれぞれ監視し、この監視結果に応じて、増幅器１４ｂ，２１およびミキサ１４ｃ，２２の動作制御をそれぞれ行い、サーチャ１６ａに対して割り当てを実行する指示を行う。
なお、図示は省略しているが、本装置の構成要素として、上述した各部を動作させるための電力を供給するバッテリを有する電源部が存在する。
【００７５】
次に、上記構成のＣＤＭＡ方式の移動無線端末装置のアンテナ切り替え制御動作を以下に説明する。図５は、上記制御部２００によってなされるアンテナ切替え制御を示すフローチャートである。
【００７６】
まず、ステップ５ａでは、増幅器１４ｂ，２１およびミキサ１４ｃ，２２を動作させ、合成器２４に、第１のアンテナ１０と第２のアンテナ１８をそれぞれ通じて受信した信号を合成させるとともに、サーチャ１６ａに対しては、割り当て実行指示を行う。
【００７７】
これに対して、サーチャ１６ａは遅延プロフィールを求め、これに基づいて、第１のアンテナ１０で受信した信号を受信（逆拡散）するタイミングをフィンガ１６ｂに割り当てるとともに、第２のアンテナ１８で受信した信号を受信（逆拡散）するタイミングをフィンガ１６ｃにて割り当てる。
【００７８】
これにより、フィンガ１６ｂは、第１のアンテナ１０で受信した信号を逆拡散し、一方、フィンガ１６ｃは、第２のアンテナ１８で受信した信号を逆拡散する。すなわち、第１のアンテナ１０で受信した信号と、第２のアンテナ１８で受信した信号とによるレイク受信がなされる。
【００７９】
次に、ステップ５ｂでは、フィンガ１６ｂおよびフィンガ１６ｃの逆拡散結果の各Ｅc／Ｉoを監視する。そして、受信品質の向上に、第１のアンテナ１０で受信した信号と第２のアンテナ１８で受信した信号とがそれぞれどれだけ寄与しているかを求め、ステップ５ｃに移行する。
【００８０】
ステップ５ｃでは、第１のアンテナ１０で受信した信号の上記寄与と第２のアンテナ１８で受信した信号の上記寄与との差、例えば各Ｅc／Ｉoの差が、第１の基準値未満であるか否かを判定する。ここで、第１の基準値未満の場合にはステップ５ｄに移行し、一方、上記差が第１の基準値以上の場合には、ステップ５ｆに移行する。
【００８１】
ステップ５ｄでは、第１のアンテナ１０で受信した信号のＥc／Ｉoと第２のアンテナ１８で受信した信号のＥc／Ｉoとが、共に第２の基準値未満であるか否かを判定する。ここで、共に第２の基準値未満である場合には、ステップ５ｅに移行し、一方、少なくとも一方の信号のＥc／Ｉoが第２の基準値以上である場合には、ステップ５ｆに移行する。
【００８２】
ステップ５ｅでは、制御信号Ｃｔｒ１，Ｃｔｒ２を通じて、増幅器１４ｂ，２１およびミキサ１４ｃ，２２の動作を継続するように制御し、合成器２４に上記アンテナ１０，１８をそれぞれ通じて受信した信号を合成させる。これにより、２つのアンテナ１０，１８による受信が継続される。
【００８３】
一方、ステップ５ｆでは、第１のアンテナ１０および第２のアンテナ１８でそえぞれ受信した信号の上記寄与、例えばＥc／Ｉoを比較し、制御信号Ｃｔｒ１，Ｃｔｒ２を通じて、寄与の大きい方の信号に対応するアンテナの増幅器（１４ｂ，２１のいずれか一方、およびそれに対応するミキサ１４ｃ，２２）のみを動作させる。
【００８４】
すなわち、合成器２４では、上記動作させた側の受信系より入力される信号を合成を行うことなしに、増幅器１５ａに入力することになる。これにより、２つのアンテナ１０，１８のうち、これらの２つのアンテナの受信信号をシンボル合成した際に、受信信号の品質への寄与の大きい方の信号が得られる側のアンテナのみによる受信が行われる。
【００８５】
以上のように、上記構成のＣＤＭＡ方式の移動無線端末装置では、２つのアンテナ１０，１８を備え、一方のアンテナ１８にて受信した信号については、中間周波数に変換後に遅延させ、両アンテナ１０，１８にて受信した信号を合成してレイク受信を行うようにしている。
【００８６】
したがって、上記構成のＣＤＭＡ方式の移動無線端末装置によれば、各アンテナ１０，１８でそれぞれ受信されるマルチパスの遅延時間の広がりがチップレートよりも小さく、それぞれのアンテナで受信される信号ではレイク受信ができないような状況でも、アンテナ１０，１８の両受信信号によりレイク受信を行うことができる。
【００８７】
そしてまた、上記構成のＣＤＭＡ方式の移動無線端末装置では、アンテナ１０，１８の両受信信号によりレイク受信を行っている際に、サーチャ１６ａおよびフィンガ１６ｂ、１６ｃ、１６ｄの各出力から各アンテナの受信信号の寄与を監視して、一方のアンテナの受信信号で受信が十分行える場合には、このアンテナで受信を行い、残る一方のアンテナに対応する増幅器（１４ｂあるいは２１、およびそれに対応するミキサ１４ｃあるいは２２）を停止させるようにしている。
【００８８】
したがって、上記構成のＣＤＭＡ方式の移動無線端末装置によれば、受信品質の悪い時にだけ２つのアンテナの受信信号を用いて、不必要に２つのアンテナによる受信を行わないので、消費電力の節約を図ることができる。
【００８９】
また、ＣＤＭＡ方式では、信号帯域幅が広いため、無線回路の非線形性によって生じる干渉信号の影響を受けやすい。このため、減衰器１４ａを設けてあるが、強い干渉信号がある場合には、増幅器１４ｂの利得を下げるようにすればよい。
【００９０】
そしてまた、上述の実施形態では、第２のアンテナ１８は当該移動無線端末装置の筐体内に備えることを想定しているため、第１のアンテナ１０よりも利得が低い。このため、第２のアンテナ１８に接続する無線回路では減衰器を用いていない。言い換えれば、第１のアンテナ１０と同等の利得の場合には、減衰器を適用すればよい。
【００９１】
尚、この発明は上記実施の形態に限定されるものではない。その他、この発明の要旨を逸脱しない範囲で種々の変形を施しても同様に実施可能であることはいうまでもない。
【００９２】
【発明の効果】
以上述べたように、この発明では、着信待ち受け時、あるいは通信時に、ハンドオフ条件が成立した場合に、現在、アンテナ選択手段によって選択されているアンテナに代わって、残る一方のアンテナを用いて受信を行い、ここでさらにハンドオフ条件が成立する場合に、元のアンテナに再び切り替えて、ハンドオフ処理を行うようにしている。
【００９３】
すなわち、マルチパスの遅延時間の広がりが小さいためにレイク受信ができないような状況で、マルチパスフェージングが生じて、一時的にハンドオフ処理の必要が生じても、もう一つのアンテナに切り替えて受信を行って、上記処理を行なう必要があるかを検証し、この検証結果に応じて上記処理を行うようにしている。
【００９４】
したがって、この発明によれば、不必要なハンドオフを行うための処理を防止して、バッテリの電力の浪費を抑制することが可能なＣＤＭＡ方式の移動無線端末装置を提供できる。
【００９５】
また、この発明では、着信待ち受け時、あるいは通信時に、無線基地局が捕捉できなくなった場合に、現在、アンテナ選択手段によって選択されているアンテナに代わって、残る一方のアンテナを用いて受信を行い、ここでさらに無線基地局が捕捉できない場合に、元のアンテナに再び切り替えて、受信可能な他の無線基地局を捕捉するようにしている。
【００９６】
すなわち、マルチパスの遅延時間の広がりが小さいためにレイク受信ができないような状況で、マルチパスフェージングが生じて、一時的に他の無線基地局を捕捉する処理の必要が生じても、もう一つのアンテナに切り替えて受信を行って、上記処理を行なう必要があるかを検証し、この検証結果に応じて上記処理を行うようにしている。
【００９７】
したがって、この発明によれば、不必要な他の無線基地局を捕捉する処理を防止して、バッテリの電力の浪費を抑制することが可能なＣＤＭＡ方式の移動無線端末装置を提供できる。
【図面の簡単な説明】
【図１】この発明に係わるＣＤＭＡ方式の移動無線端末装置の第１の実施の形態の構成を示す回路ブロック図。
【図２】図１に示したＣＤＭＡ方式の移動無線端末装置のハンドオフ条件成立時の制御を示すフローチャート
【図３】図１に示したＣＤＭＡ方式の移動無線端末装置のハンドオフ条件成立時の制御を示すフローチャート
【図４】この発明に係わるＣＤＭＡ方式の移動無線端末装置の第２の実施の形態の構成を示す回路ブロック図。
【図５】図１に示したＣＤＭＡ方式の移動無線端末装置のアンテナ切替え制御を示すフローチャート。
【図６】従来の移動無線端末装置の構成を示す回路ブロック図。
【符号の説明】
１０…第１のアンテナ
１１…共用器
１２…送信装置
１３ａ，１３ｂ…受信装置
１４…無線回路
１４ａ…減衰器
１４ｂ，１５ａ，２１…増幅器
１４ｃ，１５ｃ，２２…ミキサ
１４ｄ…周波数シンセサイザ
１５…中間周波回路
１５ｂ，１９…バンドパスフィルタ（ＢＰＦ）
１５ｄ…周波数シンセサイザ
１５ｅ…Ａ／Ｄ変換器
１６…受信機
１６ａ…サーチャ
１６ｂ，１６ｃ，１６ｄ…フィンガ
１６ｅ…シンボル合成器
１７…信号処理部
１８…第２のアンテナ
２０…スイッチ
２３…遅延回路
２４…合成器
１００，２００…制御部
１００ａ…ハンドオフ判定手段
１００ｂ…スイッチ切替制御手段
２００ａ…ＯＮ／ＯＦＦ制御手段
【図１】
0003691975.tif 000002
【図２】
0003691975.tif 000003
【図３】
0003691975.tif 000004
【図４】
0003691975.tif 000005
【図５】
0003691975.tif 000006
【図６】
0003691975.tif 000007